(57)【特許請求の範囲】
【請求項１】
データを含んでなる第１外部端末及び第２外部端末を備え、
第１人体に接する第１の電極及び第２の電極と、データの送信又は受信の少なくともいずれか一方の機能を有してなる第１データ通信部と、該第１データ通信部と前記データを含んでなる前記第１外部端末との間で前記データの伝送を行う機能を有してなる第１インターフェース部とを備えてなる第１データ通信アダプタと、
第２人体に接する第１の電極及び第２の電極と、データの送信又は受信の少なくともいずれか一方の機能を有してなる第２データ通信部と、該第２データ通信部と前記データを含んでなる前記第２外部端末との間で前記データの伝送を行う機能を有してなる第２インターフェース部とを備えてなる第２データ通信アダプタとを設けてなり、
前記第１、前記第２データ通信アダプタは、前記第１人体、前記第２人体それぞれの手首又はその近傍に装着可能であって、前記第１の電極を前記第１人体、前記第２人体それぞれの指先側に配置し、前記第２の電極を前記第１人体、前記第２人体それぞれの指先とは反対側に配置する装着具を有してなり、
前記第１人体と前記第２人体とが前記第１、前記第２データ通信アダプタを装着している側の手をそれぞれ接触することで、前記第１データ通信アダプタに設けられる前記第１の電極と前記第２データ通信アダプタに設けられる前記第１の電極との間で前記第１人体、前記第２人体それぞれの指先側を通る第１の伝送路を形成するとともに、前記第１データ通信アダプタに設けられる前記第２の電極と前記第２データ通信アダプタに設けられる前記第２の電極との間で前記第１人体、前記第２人体それぞれの指先とは反対側であって足元の地面を介して第２の伝送路を形成することを特徴とするデータ通信システム。
【請求項２】
前記第１外部端末及び前記第２外部端末が、携帯形ゲーム機端末であることを特徴とする請求項１に記載のデータ通信システム。
【請求項３】
前記第１外部端末及び前記第２外部端末が、携帯電話端末であることを特徴とする請求項１に記載のデータ通信システム。
【請求項４】
データを含んでなる外部端末を備え、
人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、
前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、
前記データ通信アダプタは、前記人体の手首又はその近傍に装着可能であって、前記第１の電極を前記人体の指先側に配置し、前記第２の電極を前記人体の指先とは反対側に配置する装着具を有してなり、
前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯形ゲーム機端末であることを特徴とするデータ通信システム。
【請求項５】
データを含んでなる外部端末を備え、
人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、
前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、
前記データ通信アダプタは、前記人体の手首又はその近傍に装着可能であって、前記第１の電極を前記人体の指先側に配置し、前記第２の電極を前記人体の指先とは反対側に配置する装着具を有してなり、
前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯電話端末であることを特徴とするデータ通信システム。
【請求項６】
データを含んでなる外部端末を備え、
人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、
該インターフェース部を介して、前記外部端末と前記データ通信部との間で、前記データを伝送し、該データ通信部では、前記人体に前記データを流すことができるようにデータ変換して、前記データを伝送し、
前記人体の手首又はその近傍に装着可能であって、前記第１の電極を前記人体の指先側に配置し、前記第２の電極を前記人体の指先とは反対側に配置する装着具を有してなり、前記外部端末が、携帯形ゲーム機端末であることを特徴とするデータ通信アダプタ。
【請求項７】
データを含んでなる外部端末を備え、
人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、
該インターフェース部を介して、前記外部端末と前記データ通信部との間で、前記データを伝送し、該データ通信部では、前記人体に前記データを流すことができるようにデータ変換して、前記データを伝送し、
前記人体の手首又はその近傍に装着可能であって、前記第１の電極を前記人体の指先側に配置し、前記第２の電極を前記人体の指先とは反対側に配置する装着具を有してなり、前記外部端末が、携帯電話端末であることを特徴とするデータ通信アダプタ。
【請求項８】
前記装着具には、該装着具が、前記人体に接触するように装着されているか否かを検知する機能を有してなる装着検知部を備えたことを特徴とする請求項６又は７に記載のデータ通信アダプタ。
【請求項９】
前記外部端末が着脱可能な端末用カートリッジを有してなり、該端末用カートリッジと一体化された構造であることを特徴とする請求項６乃至請求項８のいずれかに記載のデータ通信アダプタ。
【発明の詳細な説明】
【０００１】
【発明の属する技術分野】
本発明は、人体（利用者）が用いる外部端末間等でデータを伝送するデータ通信システム及びデータ通信アダプタに関するものである。
【０００２】
【従来の技術】
従来、携帯電話端末や携帯形ゲーム機端末などの外部端末の有するデータを、他の人体（利用者）が用いる外部端末との間でデータの交換又は共有する場合には、有線により外部端末を直接接続する方法や、赤外線通信を用いる方法や、携帯電話端末用のアダプタを用いて伝送するという方法がある。
【０００３】
また、人体（利用者）が用いる外部端末と外部装置との間でデータの交換又は共有する場合にも同様の方法で外部端末と外部装置とを接続する。
【０００４】
【発明が解決しようとする課題】
ところが、上述のように、人体（利用者）が、お互いの外部端末のデータを交換したり共有するには、お互いの外部端末を前記のような接続方法を用いてデータを伝送しなければならず、人体（利用者）にとって外部端末の操作がしにくくなり、利便性の向上を妨げる原因となるという問題点があった。特に携帯形ゲーム機端末においては、このような接続が、ゲームの操作性の向上を妨げる原因となっていた。
【０００５】
また、人体（利用者）の外部端末と外部装置との間で情報を交換したり共有するには、同様に外部端末と、データを送信又は受信する機能を有してなる外部装置とを前述のような接続方法を用いてデータを伝送しなければならず、人体（利用者）にとって外部端末の操作がしにくくなり、利便性の向上を妨げる原因となるという問題点があった。
【０００６】
本発明は、上記の問題点に鑑みて成されたものであり、その目的とするところは、人体（利用者）が用いる外部端末の利便性の向上をはかったデータ通信システム及びデータ通信アダプタを提供することにある。
【０００７】
【課題を解決するための手段】
請求項１記載のデータ通信システムは、データを含んでなる第１外部端末及び第２外部端末を備え、第１人体に接する第１の電極及び第２の電極と、データの送信又は受信の少なくともいずれか一方の機能を有してなる第１データ通信部と、該第１データ通信部と前記データを含んでなる前記第１外部端末との間で前記データの伝送を行う機能を有してなる第１インターフェース部とを備えてなる第１データ通信アダプタと、第２人体に接する第１の電極及び第２の電極と、データの送信又は受信の少なくともいずれか一方の機能を有してなる第２データ通信部と、該第２データ通信部と前記データを含んでなる前記第２外部端末との間で前記データの伝送を行う機能を有してなる第２インターフェース部とを備えてなる第２データ通信アダプタとを設けてなり、前記第１、前記第２データ通信アダプタは、前記第１人体、前記第２人体それぞれの手首又はその近傍に装着可能であって、前記第１の電極を前記第１人体、前記第２人体それぞれの指先側に配置し、前記第２の電極を前記第１人体、前記第２人体それぞれの指先とは反対側に配置する装着具を有してなり、前記第１人体と前記第２人体とが前記第１、前記第２データ通信アダプタを装着している側の手をそれぞれ接触することで、前記第１データ通信アダプタに設けられる前記第１の電極と前記第２データ通信アダプタに設けられる前記第１の電極との間で前記第１人体、前記第２人体それぞれの指先側を通る第１の伝送路を形成するとともに、前記第１データ通信アダプタに設けられる前記第２の電極と前記第２データ通信アダプタに設けられる前記第２の電極との間で前記第１人体、前記第２人体それぞれの指先とは反対側であって足元の地面を介して第２の伝送路を形成することを特徴とするものである。
【０００８】
また、請求項２記載のデータ通信システムは、請求項１記載の発明において、前記第１外部端末及び前記第２外部端末が、携帯形ゲーム機端末であることを特徴とするものである。
【０００９】
また、請求項３記載のデータ通信システムは、請求項１記載の発明において、前記第１外部端末及び前記第２外部端末が、携帯電話端末であることを特徴とするものである。
【００１０】
また、請求項４記載のデータ通信システムは、データを含んでなる外部端末を備え、人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、前記データ通信アダプタは、前記人体の手首又はその近傍に装着可能であって、前記第１の電極を前記人体の指先側に配置し、前記第２の電極を前記人体の指先とは反対側に配置する装着具を有してなり、前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯形ゲーム機端末であることを特徴とするものである。
【００１２】
また、請求項５記載のデータ通信システムは、データを含んでなる外部端末を備え、人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、前記データ通信アダプタは、前記人体の手首又はその近傍に装着可能であって、前記第１の電極を前記人体の指先側に配置し、前記第２の電極を前記人体の指先とは反対側に配置する装着具を有してなり、前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯電話端末であることを特徴とするものである。
【００１３】
また、請求項６記載のデータ通信アダプタは、データを含んでなる外部端末を備え、人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、該インターフェース部を介して、前記外部端末と前記データ通信部との間で、前記データを伝送し、該データ通信部では、前記人体に前記データを流すことができるようにデータ変換して、前記データを伝送し、前記人体の手首又はその近傍に装着可能であって、前記第１の電極を前記人体の指先側に配置し、前記第２の電極を前記人体の指先とは反対側に配置する装着具を有してなり、前記外部端末が、携帯形ゲーム機端末であることを特徴とするものである。
【００１５】
また、請求項７記載のデータ通信アダプタは、データを含んでなる外部端末を備え、人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、該インターフェース部を介して、前記外部端末と前記データ通信部との間で、前記データを伝送し、該データ通信部では、前記人体に前記データを流すことができるようにデータ変換して、前記データを伝送し、前記人体の手首又はその近傍に装着可能であって、前記第１の電極を前記人体の指先側に配置し、前記第２の電極を前記人体の指先とは反対側に配置する装着具を有してなり、前記外部端末が、携帯電話端末であることを特徴とするものである。
【００１８】
また、請求項８記載のデータ通信アダプタは、請求項６又は７に記載の発明において、前記装着具には、該装着具が、前記人体に接触するように装着されているか否かを検知する機能を有してなる装着検知部を備えたことを特徴とするものである。
【００２３】
また、請求項９記載のデータ通信アダプタは、請求項６乃至請求項８のいずれかに記載の発明において、前記外部端末が着脱可能な端末用カートリッジを有してなり、該端末用カートリッジと一体化された構造であることを特徴とするものである。
【００２４】
【発明の実施の形態】
以下、本発明の実施形態を図１乃至図３に基づいて説明する。
【００２５】
図１は、本発明の実施形態に係るデータ通信システムの構成を示す概略図であり、図２は、ブロック図であり、図３は、データ通信アダプタの装着図である。
【００２６】
図１に示すように、データ通信システムは、外部端末２、５と、人体３、６の各々に２つの電極により接触したデータ通信アダプタ１、４を備えてなる。
【００２７】
外部端末２と、データ通信アダプタ１とは、インターフェース部３０を用いてワイヤ８により接続されている。なお、データ通信アダプタ１は、２つの電極２０、２１を図３に示すように人体３の手首に接触するように設けている。
【００２８】
データ通信アダプタ１は、人体３に接するように配置された２つの電極２０、２１と、外部端末２とデータ伝送するインターフェース部３０と、データを変調する機能を有してなる変調部１１と、データを復調する機能を有してなる復調部１５と、変調部１１により変調された変調信号に対応する電圧を２つの電極２０、２１間に印加する機能を有してなる電圧印加部１２と、２つの電極２０、２１間の電圧又は２つの電極のどちらか一方の電極と回路グランド間の電圧を検出する機能を有してなる電圧検出部１３と、前記各部を制御する機能を有してなる制御部１４とを備えてなるデータ通信部１０と、電極２０、２１を人体３に装着する帯状の装着具２２とを有してなる。
【００２９】
ここで、第１実施形態においては、外部端末２、５は、携帯形ゲーム機端末である。また、図３に示すように、装着具２２は、伸縮性のある素材で構成され、手首に巻きつけることが可能な構成となっている。また、電極２１は人体３の指先側に配置されており、電極２０が人体３の指先とは反対側に配置されている。さらに、装着具２２は、装着検知部２３を備え、人体３が装着し、電極２０、２１が人体３に接触したという情報を検知し制御部１４に伝達する機能を有してなる。
【００３０】
なお、人体３と電極２０、２１とは、電極２０、２１の実質面積を十分大きくとれば、離れていても静電結合で結ばれるため直接接していなくてもよい。
【００３１】
ここで、データ通信アダプタ４は、上述のデータ通信アダプタ１と同一の機能と同一の構成であるため、ブロック図及びデータ通信アダプタの装着図の図示は省略するが、図３に示した場合と同様に、人体６に２つの電極（図示せず）を接触するように設け、外部端末５とワイヤ８により接続する。
【００３２】
ここで、外部端末２とデータ通信アダプタ１のインターフェース部３０とを接続するワイヤ８は、具体的にはＲＳ２３２ＣやＵＳＢやＩＥＥＥ１３９４等のプロトコル方式が用いられるが、その他の有線通信方式を用いても勿論よい。また、外部端末２とデータ通信アダプタ１のインターフェース部３０との接続には、ワイヤ８などの有線による接続方法以外に、赤外線や電波等を用いた無線手段にて行っても勿論よい。
【００３３】
以下に、動作説明を示す。外部端末２は、携帯形ゲーム機端末であるので、例えばゲームのデータ等が、外部端末２からデータ通信アダプタ１のインターフェース部３０を介して制御部１４に前述のプロトコル方式によりデータが伝送され、制御部１４において人体を伝送路とした通信に適したプロトコルにデータを変換し、人体を伝送路とした通信に適したプロトコルに変換されたデータが、変調部１１で変調され、変調部１１により変調された変調信号に対応する電圧を電圧印加部１２で印加し、電極２０、２１により、人体３へと伝送されるようになっている。
【００３４】
人体３と人体６とが握手により接触すると、データ通信アダプタ１からデータは、人体３から人体６を経て、データ通信アダプタ４の２つの電極（図示せず）間において電圧検出部（図示せず）で電圧の変化として検出され、復調部（図示せず）で復調されて、制御部（図示せず）において受信されたデータの解読が行われる。そして解読されたデータは、インターフェース部（図示せず）を経由して人体６の外部端末５に伝送される。なお、外部端末５から外部端末２へのデータ伝送も同様にして行うことができる。
【００３５】
かかるデータ通信システム及びデータ通信アダプタにあっては、２つの人体のお互いが用いる外部端末のデータを交換又は共有する場合に、２つの人体を伝送路として用いることで、外部端末の利便性の向上をはかることができる。
【００３６】
なお、第１実施形態においては、データ通信アダプタ１は、図３に示すようにインターフェース部３０と外部端末２をワイヤ８で接続するようにしたが、データ通信アダプタ１を取り外して他の通信アダプタ装置（図示せず）と接続できるようになっており、人体を伝送路として通信を行うときにのみデータ通信アダプタ１を取り付けるような構成であっても勿論よい。
【００３７】
また、装着具２２は、空気により膨らむような構成や、人体（利用者）が手動でポンプを動かして空気を入れるような構成や、人体（利用者）が口で空気を吹き込むような構成や、電動等により自動で空気が入るような構成や、空気圧センサー（図示せず）を備えて空気圧が自動調整されるような構成であっても勿論よい。また、装着具２２は、外部端末２を収納することができるような構成になっていても勿論よい。
【００３８】
また、データ通信アダプタ１で使用されるワイヤ８は巻き取り式になっていてもよい。また、データ通信アダプタ１の電源は、データ通信アダプタ１に電池等を内蔵するようになっていても、外部端末２から電源が供給されるようになっていてもよい。また、データ通信アダプタ１は、外部端末２に対して一つずつ接続される構成であっても、複数個の外部端末が同時に接続されるような構成であってもよい。
【００３９】
ここで、上述の第１実施形態においては、２つの人体がお互いの外部端末からのデータを交換又は共有する場合の実施形態であるが、人体が用いる外部端末と外部装置との間で交換又は共有するような実施形態を、本発明の第２実施形態として以下に示す。なお、第１実施形態との共通部分の説明は簡略のため省略する。
【００４０】
以下、本発明の第２実施形態を図４に基づいて説明する。図４は、本発明の第２実施形態に係るデータ通信システムの構成を示す概略図であり、外部装置のブロック図も含んでいる。
【００４１】
図４に示すように、データ通信システムは、外部端末２と、人体３に電極２０、２１が接触したデータ通信アダプタ１と、外部装置７を備えてなる。
【００４２】
外部装置７は、人体３が接するように配置されデータ通信アダプタ１から出力
される信号を受信又はデータ通信アダプタ１に信号を送信する人体接触電極４１と、人体接触電極４１に人体３が接触したことを検出する機能を有してなる人体接触検出用電圧検出部４２と、人体接触電極４１と回路グランド間の電圧を検出する機能を有してなる電圧検出部４３と、電圧検出部４３により検出された電圧信号を復調する機能を有してなる復調部４４と、後述の情報装置５０から送信するデータを変調する機能を有してなる変調部４５と、前記人体接触電極４１と回路グランド間に電圧を印加する機能を有してなる電圧印加部４６と、送受信される信号を利用する情報装置５０にデータ伝送するインターフェース部４７と、前記各部を制御する機能を有してなる制御部４８と、送受信されるデータを管理する情報装置５０とを備えてなる。
【００４３】
以下に、動作説明を示す。人体３が、外部装置７の人体接触電極４１に接触すると、人体接触検出用電圧検出部４２において人体３の接触を検知し、電圧検出部４３と、復調部４４を用いて人体３の外部端末２の信号を人体３のデータ通信アダプタ１、人体３、人体接触電極４１を経由して受信する。なお、受信されたデータは、制御部４８からインターフェース部４７を経由して情報装置５０へと伝送される。
【００４４】
また、逆に、人体３が外部装置７の人体接触電極４１に接触すると、人体接触検出用電圧検出部４２において人体３の接触を検知し、変調部４５と、電圧印加部４６を用いて人体接触電極４１、人体３、データ通信アダプタ１を経由して利用者の外部端末２に送信するという動作も制御部４８により行うことができる。なお、送信するデータは情報装置５０からインターフェース部４７を経由して制御部４８に伝送される。
【００４５】
かかるデータ通信システム及びデータ通信アダプタにあっては、外部装置の情報装置と人体が用いる外部端末とが人体を経由してデータ通信するので、外部端末の利便性の向上をはかることができる。
【００４６】
なお、人体接触検出用電圧検出部４２は、単にボタン等の接触検知機構でも勿論よい。また、外部装置７は、通常のパソコン（図示せず）や通常の信号処理装置（図示せず）でもよく、それがインターネット接続等の通信機能を有していても勿論よい。
【００４７】
ここで、外部装置７は、必ずしも同じ第２実施形態のような構成である必要はなく、同様の機能を実現するのであればどのような構成でも構わない。
【００４８】
次に、第１実施形態及び第２実施形態のデータ通信アダプタの装着具のその他
の参考例を、本発明の参考例１乃至参考例３として以下に示す。なお、第１実施形態及び第２実施形態との共通部分の説明は簡略のため省略する。
【００４９】
以下、本発明の参考例１を図５に基づいて説明する。図５は、本発明の参考例１に係るデータ通信アダプタの装着図である。
【００５０】
図５に示すように、参考例１においては、データ通信アダプタ１は、外部端末２と一体になるような構成であり、装着具２２は、ベルトのように人体３の腰部に装着できるよう配置されている。なお、腰部に限らず、人体３の手首や腕等に外部端末２が装着されるような構成であっても勿論よい。
【００５１】
かかるデータ通信システム及びデータ通信アダプタにあっては、外部装置の情報装置と人体の外部端末とが人体を経由してデータ通信するので、人体が用いる外部端末の利便性の向上をはかることができる。
【００５２】
なお、装着具２２は、衣服のような構成になっていたり、装着具２２自身が取り外しが可能な構成になっていてもよく、特に取り外しが可能な構成においては、洗濯等が可能なように防水加工等が施された構成であってもよい。
【００５３】
以下、本発明の参考例２を図６に基づいて説明する。図６は、本発明の参考例２に係るデータ通信アダプタの装着図である。
【００５４】
図６に示すように、参考例２においては、装着具２２は、指輪型の形状をしており、人体３の指先に装着する構成である。また、外部端末２が着脱可能な端末用カートリッジを使用する場合に、データ通信アダプタ１が、端末用カートリッジと一体になっており、電極２０、２１は、ワイヤ８により離れて接続されている構成である。
【００５５】
なお、端末用カートリッジは外部端末のゲーム等のアプリケーションを提供するような機能を有してなり、このアプリケーションに適したデータ通信アダプタが提供されるような構成であっても勿論よい。
【００５６】
かかるデータ通信システム及びデータ通信アダプタにあっては、装着具が指輪型の形状をしているので、データ通信アダプタの装着が容易である。また、外部端末が着脱可能な端末用カートリッジを持ち、端末用カートリッジとデータ通信アダプタが一体になるようにしたので、端末用カートリッジに最適なデータ通信アダプタを提供することができる。
【００５７】
なお、データ通信アダプタ１は、各端末用カートリッジ毎に内蔵されるような構成であっても勿論よい。
【００５８】
以下、本発明の参考例３を図７に基づいて説明する。図７は、本発明の参考例３に係るデータ通信アダプタの装着図である。
【００５９】
図７に示すように、参考例３においては、装着具２２は、クリップ型の形状をしており、人体３の手の甲と手のひらを挟むように装着する構成である。
【００６０】
かかるデータ通信システム及びデータ通信アダプタにあっては、装着具がクリップ型の形状をしているので、データ通信アダプタの装着が容易である。
【００６１】
ここで、第１実施形態及び第２実施形態、参考例１乃至参考例３においては、外部端末が携帯形ゲーム機端末である場合を示したが、この場合、ゲームのデータを利用者間で交換するように携帯形ゲーム機端末のアプリケーションが構成されていても構わないし、外部装置との間でゲームのデータが交換されるようになっていても構わない。なお、データは特定のキャラクターに関する情報やキャラクター自身であってもよく、他のゲームで使用するデータであっても勿論よい。
【００６２】
また、本発明のデータ通信システムが、外部装置が複数台あり、利用者は各外部装置との間で別々にデータ交換をするようになっていても勿論よい。また、本発明のデータ通信システムが、外部装置とデータ交換した履歴を利用者の端末が記録するようになっており、テーマパーク等におけるオリエンテーリング等のアトラクションのチェックポイントのチェック等に使用されても勿論よい。
【００６３】
また、本発明のデータ通信システムが、特定の利用者間において外部端末の利用履歴のデータを交換するようになっており、例えば、子供の外部端末の利用履歴のデータが保護者の外部端末に人体を伝送路とする通信を用いて伝送されなければ子供の外部端末が利用できなくなるような構成であってもよい。また保護者側において、子供のゲーム装置の利用時間の制限や利用時間帯の制限をかけることが出来るような構成であってもよい。
【００６４】
また、本発明のデータ通信システムにおいて、利用者間のゲーム対戦等で利用される場合には、ゲーム対戦後に人体を伝送路とする通信をしなければゲームの対戦結果が有効にならないように構成され、対戦者同士が対戦後に友達になるような仕掛けになっていてもよい。またゲーム対戦後には、子供の保護者のデータも同時に交換され、保護者同士がお互いの電話番号等のデータを取得することができるようになっていてもよい。
【００６５】
また、データ通信アダプタ１は、複数人の利用者に装着されて、利用者同士のデータ通信アダプタがカスケード状（リング型ＬＡＮ）に通信されるようになっていてもよいし、特定のデータ通信アダプタがハブのような役割（スター型ＬＡＮ）を果たすようになっており、複数のデータ通信アダプタの通信を制御するようになっていてもよいし、複数の利用者の固まり同士を橋渡しするようなルーターのような通信制御（インターネット型）を行うようになっていてもよい。
【００６６】
また、データ通信アダプタ１は、ＴＣＰ／ＩＰ等のプロトコルを用いて通信を行ってもよいし、それ以外のプロトコルを用いてもよい。各データ通信アダプタが固有のＩＤを保持し、お互いを区別できるようになっていてもよい。
【００６７】
また、データ通信アダプタ１は、特定の相手だけに通信を行うような構成や、暗号化された通信を行うような構成や、通信の履歴を残すような構成や、特定の相手と通信しなければ一定時間後に利用できなくなるような構成や、特定の利用者だけもしくは特定の端末だけが利用できるような構成であってもよい。
【００６８】
ここで、第１実施形態及び第２実施形態、参考例１乃至参考例３においては、外部端末は、携帯形ゲーム機端末であるが、携帯電話端末や他の情報装置でも勿論よい。
【００６９】
なお、本発明は上記の実施形態及び参考例のデータ通信システム及びデータ通信アダプタに限定されるものではなく、特許請求の範囲の請求項に記載する内容の範囲で、各種の変形が可能であり、本発明はこれらの全てを含むものである。
【００７０】
【発明の効果】
上記のように、本発明に係る請求項1記載のデータ通信システムの発明にあっては、データを含んでなる第１外部端末及び第２外部端末を備え、第１人体に接する第１の電極及び第２の電極と、データの送信又は受信の少なくともいずれか一方の機能を有してなる第１データ通信部と、該第１データ通信部と前記データを含んでなる前記第１外部端末との間で前記データの伝送を行う機能を有してなる第１インターフェース部とを備えてなる第１データ通信アダプタと、第２人体に接する第１の電極及び第２の電極と、データの送信又は受信の少なくともいずれか一方の機能を有してなる第２データ通信部と、該第２データ通信部と前記データを含んでなる前記第２外部端末との間で前記データの伝送を行う機能を有してなる第２インターフェース部とを備えてなる第２データ通信アダプタとを設けてなり、前記第１、前記第２データ通信アダプタは、前記第１人体、前記第２人体それぞれの手首又はその近傍に装着可能であって、前記第１の電極を前記第１人体、前記第２人体それぞれの指先側に配置し、前記第２の電極を前記第１人体、前記第２人体それぞれの指先とは反対側に配置する装着具を有してなり、前記第１人体と前記第２人体とが前記第１、前記第２データ通信アダプタを装着している側の手をそれぞれ接触することで、前記第１データ通信アダプタに設けられる前記第１の電極と前記第２データ通信アダプタに設けられる前記第１の電極との間で前記第１人体、前記第２人体それぞれの指先側を通る第１の伝送路を形成するとともに、前記第１データ通信アダプタに設けられる前記第２の電極と前記第２データ通信アダプタに設けられる前記第２の電極との間で前記第１人体、前記第２人体それぞれの指先とは反対側であって足元の地面を介して第２の伝送路を形成するようにしたもので、前記第１人体と前記第２人体のお互いが用いる外部端末のデータを交換又は共有する場合に、２つの人体を伝送路として用いることで、利用者が用いる外部端末の利便性が向上するという効果を奏する。
【００７１】
また、請求項２記載のデータ通信システムの発明にあっては、請求項１記載の発明において、前記第１外部端末及び前記第２外部端末が、携帯形ゲーム機端末であるようにしたもので、該携帯形ゲーム機端末のゲームのデータ通信を人体経由で行う事が可能になり、利用者が用いる携帯形ゲーム機端末の利便性が向上するという効果を奏する。
【００７２】
また、請求項３記載のデータ通信システムの発明にあっては、請求項１記載の発明において、前記第１外部端末及び前記第２外部端末が、携帯電話端末であるようにしたもので、利用者の携帯電話端末のデータ通信を人体経由でも行うことが可能になり、利用者が用いる携帯電話端末の利便性が向上するという効果を奏する。
【００７３】
また、請求項４記載のデータ通信システムの発明にあっては、データを含んでなる外部端末を備え、人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、前記データ通信アダプタは、前記人体の手首又はその近傍に装着可能であって、前記第１の電極を前記人体の指先側に配置し、前記第２の電極を前記人体の指先とは反対側に配置する装着具を有してなり、前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯形ゲーム機端末であるようにしたもので、前記人体が用いる外部端末と外部装置間とのデータ通信が前記人体経由で行うことが可能になり、利用者が用いる外部端末の利便性が向上するという効果を奏する。また、携帯形ゲーム機端末のゲームのデータ通信を人体経由で行う事が可能になり、利用者が用いる携帯形ゲーム機端末の利便性が向上するという効果を奏する。
【００７５】
また、請求項５記載のデータ通信システムの発明にあっては、データを含んでなる外部端末を備え、人体に接する第１の電極及び第２の電極と、データの送信又は受信の少なくともいずれか一方の機能を有してなるデータ通信部と、該データ通信部と前記データを含んでなる前記外部端末との間で前記データの伝送を行う機能を有してなるインターフェース部とを備えてなるデータ通信アダプタと、前記人体が接するように配置され前記データ通信アダプタから出力される信号を受信又は前記データ通信アダプタに信号を送信する人体接触電極と、前記人体接触電極と回路グランド間の電圧を検出する機能を有してなる電圧検出部と、前記人体接触電極と回路グランド間に電圧を印加する機能を有してなる電圧印加部とを有してなる外部装置を設けてなり、前記データ通信アダプタは、前記人体の手首又はその近傍に装着可能であって、前記第１の電極を前記人体の指先側に配置し、前記第２の電極を前記人体の指先とは反対側に配置する装着具を有してなり、前記人体が前記データ通信アダプタを装着している側の手で前記外部装置に接触することで、前記データ通信アダプタに設けられる前記第１の電極と前記外部装置に設けられる前記人体接触電極との間で前記人体の指先側を通る第１の伝送路を形成するとともに、前記データ通信アダプタに設けられる前記第２の電極と前記外部装置に設けられる前記電圧検出部又は前記電圧印加部との間で前記人体の指先とは反対側であって前記人体の足元の地面と前記外部装置の設置面を介して第２の伝送路を形成し、前記外部端末が、携帯電話端末であるようにしたもので、前記人体が用いる外部端末と外部装置間とのデータ通信が前記人体経由で行うことが可能になり、利用者が用いる外部端末の利便性が向上するという効果を奏する。また、利用者の携帯電話端末のデータ通信を人体経由でも行うことが可能になり、利用者が用いる携帯電話端末の利便性が向上するという効果を奏する。
【００７６】
また、請求項６記載のデータ通信アダプタの発明にあっては、データを含んでなる外部端末を備え、人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、該インターフェース部を介して、前記外部端末と前記データ通信部との間で、前記データを伝送し、該データ通信部では、前記人体に前記データを流すことができるようにデータ変換して、前記データを伝送し、前記人体の手首又はその近傍に装着可能であって、前記第１の電極を前記人体の指先側に配置し、前記第２の電極を前記人体の指先とは反対側に配置する装着具を有してなり、前記外部端末が、携帯形ゲーム機端末であるようにしたもので、他の利用者が用いる外部端末又は外部装置と通信する際の接続を、従来の有線接続や赤外線通信や無線通信等の通信手段ではなく、前記人体を伝送路として通信するという通信手段によりデータ通信を行うことが可能になり、利用者が用いる外部端末の利便性が向上するという効果を奏する。また、利用者が用いる携帯形ゲーム機端末の利便性が向上するという効果を奏する。
【００７８】
また、請求項７記載のデータ通信アダプタの発明にあっては、データを含んでなる外部端末を備え、人体に接する第１の電極及び第２の電極と、データの送信又は受信の少なくともいずれか一方の機能を有してなるデータ通信部と、該データ通信部と前記データを含んでなる外部端末との間でデータの伝送を行う機能を有してなるインターフェース部とを備えてなり、該インターフェース部を介して、前記外部端末と前記データ通信部との間で、前記データを伝送し、該データ通信部では、前記人体に前記データを流すことができるようにデータ変換して、前記データを伝送し、前記人体の手首又はその近傍に装着可能であって、前記第１の電極を前記人体の指先側に配置し、前記第２の電極を前記人体の指先とは反対側に配置する装着具を有してなり、前記外部端末が、携帯電話端末であるようにしたもので、他の利用者が用いる外部端末又は外部装置と通信する際の接続を、従来の有線接続や赤外線通信や無線通信等の通信手段ではなく、前記人体を伝送路として通信するという通信手段によりデータ通信を行うことが可能になり、利用者が用いる外部端末の利便性が向上するという効果を奏する。また、利用者が用いる携帯電話端末の利便性が向上するという効果を奏する。
【００８１】
また、請求項８記載のデータ通信アダプタの発明にあっては、請求項６又は７に記載の発明において、前記装着具には、該装着具が、前記人体に接触するように装着されているか否かを検知する機能を有してなる装着検知部を備えるようにしたもので、データ通信アダプタの装着が正確になされていることを確認することが可能になり、人体を伝送路とする通信がより正確に行われるようになるという効果を奏する。
【００８６】
また、請求項９記載のデータ通信アダプタの発明にあっては、請求項６乃至請求項８のいずれかに記載の発明において、前記外部端末が着脱可能な端末用カートリッジを有してなり、該端末用カートリッジと一体化された構造であるようにしたもので、前記端末用カートリッジに最適なデータ通信アダプタの提供が可能になるという効果を奏する。
【図面の簡単な説明】
【図１】    本発明の第１実施形態に係るデータ通信システムの構成を示す概略図である。
【図２】    本発明の第１実施形態に係るデータ通信システムのブロック図である。
【図３】    本発明の第１実施形態に係るデータ通信アダプタの装着図である。
【図４】    本発明の第２実施形態に係るデータ通信システムの構成を示す概略図である。
【図５】    本発明の参考例１に係るデータ通信アダプタの装着図である。
【図６】    本発明の参考例２に係るデータ通信アダプタの装着図である。
【図７】    本発明の参考例３に係るデータ通信アダプタの装着図である。
【符号の説明】
１、４  データ通信アダプタ
２、５  外部端末
３、６  人体
７  外部装置
８  ワイヤ
１０  データ通信部
１１  変調部
１２  電圧印加部
１３  電圧検出部
１４  制御部
１５  復調部
２０、２１  電極
２２  装着具
２３  装着検知部
３０  インターフェース部
４１  人体接触電極
４２  人体接触検知用電圧検出部
４３  電圧検出部
４４  復調部
４５  変調部
４６  電圧印加部
４７  インターフェース部
４８  制御部
５０  情報装置
【図１】
0004284875.tif 000002
【図２】
0004284875.tif 000003
【図３】
0004284875.tif 000004
【図４】
0004284875.tif 000005
【図５】
0004284875.tif 000006
【図６】
0004284875.tif 000007
【図７】
0004284875.tif 000008